(57)【要約】【課題】  誰もが容易に木炭に着火することのできる木炭パッケージを提供する。【解決手段】  可燃性の中実支柱３１の側面を囲むように木炭１１を積み重ね、それを可燃性の包装材５により包むことで木炭パッケージ１を形成する。包装材５に点火することで火が中実支柱３１に燃え移るとともに、木炭パッケージ底面の吸気口２ａが開く。中実支柱３１の燃焼により空気の通り道２ｃに上昇気流が発生し、燃焼ガスが木炭パッケージ上部の排気口２ｂから排出されると同時に吸気口２ａから空気が供給される。これにより中実支柱３１と木炭１１の燃焼が促進され、容易に木炭１１に着火することができる。木炭１１に着火された後は、木炭１１を崩して平らに並べることでバーベキュー等の調理に用いることができる。【選択図】図２
2019137824.tif 000002
【特許請求の範囲】
【請求項１】
少なくとも１つの可燃性の支柱の周囲を複数の木炭により取り囲み、木炭が崩れないように、支柱と木炭の双方を可燃性の包装材に収め、さらに、支柱と包装材のみでは木炭の崩れが防げない場合には、木炭と包装材の間に可燃性の緩衝材を設置した木炭パッケージであって、
包装材の焼失後、または支柱と包装材双方の焼失後に、残された複数の木炭または、複数の木炭および支柱からなる構造体の形状が、木炭の燃焼に必要となる空気の吸入と燃焼ガスの排出を行う少なくとも１通りの空気の通り道を構成する形になるように、あらかじめパッケージ内に複数の木炭と支柱が配置されていることを特徴とする木炭パッケージ。
【請求項２】
前記可燃性の支柱の下方、包装材の外面のうちいずれか、または両方に着火剤を備えることを特徴とする請求項１に記載の木炭パッケージ。
【請求項３】
前記可燃性の支柱の一部または全部の形状を中空構造とし、その内部、支柱の下方、包装材の外面のうちいずれか、または複数の箇所に着火剤を備えることを特徴とする請求項１に記載の木炭パッケージ。
【発明の詳細な説明】
【発明の詳細な説明】
【技術分野】
【０００１】  本発明は燃料用木炭に関するものである。より詳しくは、バーベキュー等に用いられる木炭パッケージに関するものである。
【技術背景】
【０００２】  燃料用木炭は古くは調理用、暖房用として一般家庭でも使用されていたが、都市ガスや電磁調理器等が普及した現在では、一般家庭で使用される機会ほとんどなくなった。一方で、近年では屋外でバーベキューを楽しむ文化が広く一般に根付き、そのような場面では現在でも燃料用木炭が使用されている。
【０００３】  しかし、木炭は着火性が悪く、ライターで炙った程度では着火できない。そのため、バーベキュー場では火おこしに悪戦苦闘する姿がしばしば見受けられる。燃料用木炭には、この着火性の悪さを克服し、容易に着火できることが求められている。
【０００４】  木炭への着火を容易にするものとして、底に穴の開いた手桶状の器具が知られている（特許文献１）。また、折畳むことで収納性に配慮した同様の器具もチャーコールスターターの名称で市販されている。これらの器具は木炭を入れて下から火を当てることにより、誰でも容易に木炭に着火できる。その一方で、器具自体の手入れと保管という別の手間がかかってしまうという課題がある。
また、特許文献２では可燃性の枠体に破砕した木炭を詰めた木炭パッケージが開示されている。しかし、枠体が燃え尽きてしまうと着火具より生じた火炎を効率的に木炭に当てることが難しくなるため、着火までに長い時間を要する白炭やオガ炭等には適さない。
【先行技術文献】
【特許文献】
【０００５】
【特許文献１】特開平８−３５６６１
【特許文献２】特開２００３−１３０７９
【発明の概要】
【発明が解決しようとする課題】
【０００６】  本発明は、上記従来技術の課題について、これを解消しようとするものである。即ち、本発明は、特別な器具を使用することなく、誰もが容易に着火することのできる燃料用木炭を提供することを目的とする。
【課題を解決するための手段】
【０００７】    本発明の発明者は、鋭意研究した結果、少なくとも１つの可燃性の支柱の周囲を複数の木炭により取り囲み、木炭が崩れないように、支柱と木炭の双方を可燃性の包装材に収め、さらに、支柱と包装材のみでは木炭の崩れが防げない場合には、木炭と包装材の間に可燃性の緩衝材を設置した木炭パッケージであって、
包装材の焼失後、または支柱と包装材双方の焼失後に、残された複数の木炭または、複数の木炭および支柱からなる構造体の形状が、木炭の燃焼に必要となる空気の吸入と燃焼ガスの排出を行う少なくとも１通りの空気の通り道を構成する形になるように、あらかじめパッケージ内に複数の木炭と支柱が配置されていることを特徴とする木炭パッケージにより、上記課題を解決できることを見出した。【０００８】  即ち、本発明は次の（１）〜（３）に存する。
（１）少なくとも１つの可燃性の支柱の周囲を複数の木炭により取り囲み、木炭が崩れないように、支柱と木炭の双方を可燃性の包装材に収め、さらに、支柱と包装材のみでは木炭の崩れが防げない場合には、木炭と包装材の間に可燃性の緩衝材を設置した木炭パッケージであって、
包装材の焼失後、または支柱と包装材双方の焼失後に、残された複数の木炭または、複数の木炭および支柱からなる構造体の形状が、木炭の燃焼に必要となる空気の吸入と燃焼ガスの排出を行う少なくとも１通りの空気の通り道を構成する形になるように、あらかじめパッケージ内に複数の木炭と支柱が配置されていることを特徴とする木炭パッケージ。
（２）前記可燃性の支柱の下方、包装材の外面のうちいずれか、または両方に着火剤を備えることを特徴とする（１）に記載の木炭パッケージ。
（３）前記可燃性の支柱の一部または全部の形状を中空構造とし、その内部、支柱の下方、包装材の外面のうちいずれか、または複数の箇所に着火剤を備えることを特徴とする（１）に記載の木炭パッケージ。
【発明の効果】
【０００９】  本発明によれば、特別な器具を使用することなく、誰もが容易に着火することのできる燃料用木炭を提供することができる。
【図面の簡単な説明】
【００１０】
【図１】実施例１に係る木炭パッケージについて包装材を省略して描いたキャビネット図である。
【図２】実施例１に係る木炭パッケージの水平方向に沿ってみた断面図である。
【図３】実施例２に係る木炭パッケージについて包装材を省略して描いたキャビネット図である。
【図４】実施例２に係る木炭パッケージの水平方向に沿ってみた断面図である。
【図５】実施例３に係る木炭パッケージについて包装材を省略して描いたキャビネット図である。
【図６】実施例３に係る木炭パッケージの水平方向に沿ってみた断面図である。
【図７】実施例４に係る木炭パッケージについて包装材を省略して描いたキャビネット図である。
【図８】実施例４に係る木炭パッケージの水平方向に沿ってみた断面図である。
【図９】実施例５に係る木炭パッケージについて包装材を省略して描いたキャビネット図である。
【図１０】実施例５に係る木炭パッケージの水平方向に沿ってみた断面図である。
【図１１】実施例５に係る木炭パッケージの上面図である。
【図１２】包装材例１に係る木炭パッケージのキャビネット図である。
【図１３】包装材例２に係る木炭パッケージのキャビネット図である。
【図１４】包装材例３に係る木炭パッケージのキャビネット図である。
【図１５】包装材例４に係る木炭パッケージのキャビネット図である。
【発明を実施するための形態】
【００１１】  以下、本発明の実施形態について添付図面を参照して説明する。
なお、添付図面は、本発明の実施形態を例示するためのものであり、本発明を図示された実施形態に限定するものではない。
【００１２】  〔木炭パッケージ１〕
実施形態に係る木炭パッケージは図１に示すように、複数の木炭１１が中実支柱３１、あるいは図３に示すように中空支柱３２を取り囲むように積み上げられて構成される。これら複数の木炭１１と中実支柱３１または中空支柱３２は図２または図４に示すように包装材５に収められる。複数の木炭１１は中実支柱３１または中空支柱３２と包装材５により輸送中の振動等によって崩れることなく、積み上げられた状態で保持される。なお、中実支柱３１または中空支柱３２と包装材５だけでは包装材５と木炭１１の間に隙間が大きく、木炭１１を十分に保持できない場合には、図１０に示すように、後に詳述する緩衝材６を木炭１１と包装材５の間に設置して、木炭１１を保持できるようにしてもよい。
【００１３】  図１の例では木炭１１を長手方向が水平に向くように積み重ねているが、図３の例のように木炭１１の長手方向が鉛直に向くように積み重ねてもよい。また、図９に示すように木炭１１を井桁に組んでもよい。さらに言えば、後に詳述する吸気口２ａおよび排気口２ｂを有する空気の通り道２ｃが形成されていれば木炭１１の積み方はどんなものでもよく、１つの木炭パッケージ１を構成する木炭１１の長手方向を、あるものは水平方向に、またあるものは鉛直方向に向けてもよい。また、水平方向あるいは鉛直方向から傾けた木炭１１によって木炭パッケージ１を構成してもよい。
【００１４】  図１〜１１では木炭パッケージ１の外形を四角柱で示しているが、これは外形を四角柱に限定するものではなく、外形は多角柱、円柱、多角錐、円錐、多角錐台、円錐台等、あるいはさらに複雑な形状であってもよい。
【００１５】  〔木炭１１〕
木炭１１の材質は、木炭であれば特に制限はない。白炭、黒炭、成形木炭等を使用することができ、木炭パッケージ１を製作する際の工作性の観点から成形木炭が好適である。
１つの木炭パッケージ１に複数の種類の木炭を組み合わせて使用してもよい。
【００１６】  図１、２、５〜８では木炭１１を直方体で、また、図３、４、９〜１１では木炭１１を円筒形で図示しているが、これは木炭１１の形状を直方体あるいは円筒形に限定するものではなく、天然木を含む種々の形状の木炭を使用することができる。
【００１７】  〔空気の通り道２ｃ〕
木炭パッケージ１には少なくとも１通りの空気の通り道２ｃが備えられている必要がある。空気の通り道２ｃを構成する面は基本的には木炭１１であるが、中実支柱３１または中空支柱３２がその一部または全部を構成していてもよい。ただし、空気の通り道２ｃを構成する面の全部が中実支柱３１または中空支柱３２である状態では、空気の通り道２ｃ内部の燃焼による炎が直接木炭１１に当たらないため木炭１１に着火できない。このような状態は発泡樹脂や紙板、薄い木板等の数分以内で燃え尽きるような材料を中実支柱３１または中空支柱３２として用いた場合に、それらが燃え尽きるまでの過渡的な状態である。それら数分以内で燃え尽きる材料を用いた場合の中実支柱３１または中空支柱３２が燃え尽きて、無くなった状態では空気の通り道２ｃを構成する面の一部または全部は木炭１１である必要がある。
【００１８】  空気の通り道２ｃは木炭パッケージ１に点火された後で空気の吸入と燃焼ガスの排気ができるようになればよく、木炭パッケージ１に点火する前の状態では通り道が塞がっていてもよい。例えば、中実支柱３１として発泡樹脂を使用したり、中空支柱３２としてふたの付いた紙製の筒を使用したりした場合、点火前の木炭パッケージ１の状態では空気の通り道２ｃは塞がった状態であるが、点火後数分以内で空気の通り道２ｃを塞いでいた中実支柱３１または中空支柱３２が燃え尽きるため、空気の吸入と燃焼ガスの排気が行えるようになる。すなわち、数分以内で燃え尽きる材料を用いた中実支柱３１または中空支柱３２を使用する場合には木炭パッケージ１に点火する前の状態で空気の通り道２ｃが塞がっていてもよい。
【００１９】  空気の通り道２ｃの下部には空気の通り道２ｃに燃焼に必要な空気を供給するための吸気口２ａが設けられている。また、空気の通り道２ｃの上部には燃焼ガスを排出するための排気口２ｂが設けられている。
【００２０】  図１では空気の通り道２ｃの鉛直方向に沿って見た断面形状を四角形で示しているが、これは断面形状を四角形に限定するものではなく、断面形状は多角形、円等、あるいはさらに複雑な形状であってもよい。
また、一つの断面形状で統一されている必要はなく、例えば、下部の断面形状は四角形であるが、上部の断面形状は三角形である、というように場所によって断面形状および断面積が異なっていてもよい。
【００２１】  図５、６では１つの木炭パッケージ１の中に２つの空気の通り道２ｃを備えている。空気の通り道２ｃは少なくとも１つあればよいため、木炭パッケージ１に複数の独立した空気の通り道２ｃがあってもよい。また、１つの空気の通り道２ｃが複数の空気の通り道２ｃに枝分かれする構造となっていたり、さらに、枝分かれした空気の通り道２ｃが再び合流する構造になっていたりしてもよい。図７、８では１つの空気の通り道２ｃに対して吸気口２ａおよび排気口２ｂがそれぞれ２つあるため、それに繋がる空気の通り道２ｃが分岐している。
【００２２】  図１〜８では木炭１１は隙間なく積まれているが、実際には木炭１１を隙間なく積むことは困難であり、空気の通り道２ｃには吸気口２ａおよび排気口２ｂ以外の穴が生じる。また、図９〜１１のように木炭１１を井桁に組んでいる場合には必然的に空気の通り道２ｃには吸気口２ａおよび排気口２ｂ以外の穴が生じる。これらの穴は数が多かったり、極端に大きかったりすると燃焼時に空気の通り道２ｃ内の温度低下の原因となるため、多くとも井桁に組んだ状態のように、空気の通り道２ｃの全体に分散し空気の通り道２ｃを構成する面の半分以下となるようにするのが好ましい。
【００２３】  〔吸気口２ａ〕
吸気口２ａは空気の通り道２ｃの下部にあり、空気の通り道２ｃに燃焼に必要な空気を供給する。なお、吸気口２ａは木炭パッケージ１に点火される前の状態で包装材５、緩衝材６等により塞がれていてもよい。図２の例では吸気口２ａは包装材５により塞がれていてこのままでは空気の通り道２ｃに燃焼に必要な空気を供給することができない。しかし、木炭パッケージ１に点火されると包装材５は数分以内で燃え尽きるため、吸気口２ａが開き空気の通り道２ｃに空気を供給することができるようになる。すなわち、木炭パッケージ１に点火した後、数分以内で吸気口２ａが開き空気を空気の通り道２ｃに供給できる構造になっていればよい。
【００２４】  吸気口２ａは空気の通り道２ｃ内に生じた燃焼による上昇気流により空気を吸い込むため、空気の通り道２ｃの下部に設けるのが好ましい。より具体的には空気の通り道２ｃの高さの半分よりも下方に設ける。なお、図９〜１１のように木炭１１を井桁に組んでいる場合には便宜上、空気の通り道２ｃの最も下方にある穴を吸気口２ａとする。
【００２５】  図１〜４の例では吸気口２ａは木炭パッケージ１の底面に設けられているが、吸気口２ａの位置は木炭パッケージ１の底面だけに限られない。図７、８のように木炭パッケージ１の側面にあってもよいし、図５、６、９、１０のように木炭パッケージ１の底面と側面にまたがって設けられていてもよい。また、１つの空気の通り道２ｃに対して、底面と側面の両方に吸気口２ａがあってもよい。ただし、図１〜４の例のように吸気口２ａが底面にしかない木炭パッケージ１はバーベキューコンロの炭置場のように網や穴明き鋼板でできており、空気を通す面に置いて使用する必要がある。耐火レンガのように空気を通さない面に置いて使用すると十分に吸気が行えない。耐火レンガのような空気を通さない面に置いて使用する場合には、側面に吸気口２ａを有する木炭パッケージ１が必要となる。
【００２６】  図７および８に示すように、吸気口２ａは１つの空気の通り道２ｃに対して複数あってもよい。
【００２７】  図１および２では、吸気口２ａの形状を四角形で示しているが、これは吸気口２ａの形状を四角形に限定するものではなく、吸気口２ａの形状は多角形、円等、あるいはさらに複雑な形状であってもよい。
【００２８】  〔排気口２ｂ〕
排気口２ｂは空気の通り道２ｃの上部にあり、空気の通り道２ｃで燃焼により生じたガスを排気する。なお、排気口２ｂは木炭パッケージ１に点火される前の状態で包装材５、緩衝材６等により塞がれていてもよい。図１３〜１５の例では排気口２ｂは包装材５により塞がれていてこのままでは空気の通り道２ｃで生じた燃焼ガスを排気することができない。しかし、木炭パッケージ１に点火されると包装材５は数分以内で燃え尽きるため、排気口２ｂが開き空気の通り道２ｃから燃焼ガスを排気することができるようになる。すなわち、木炭パッケージ１に点火した後、数分以内で排気口２ｂが開き燃焼ガスを空気の通り道２ｃから排気できる構造になっていればよい。
【００２９】  排気口２ｂは空気の通り道２ｃ内に生じた燃焼による上昇気流により燃焼ガスを排気するため、空気の通り道２ｃの上部に設けるのが好ましい。より具体的には空気の通り道２ｃの高さの半分よりも上方に設ける。なお、図９〜１１のように木炭１１を井桁に組んでいる場合には便宜上、空気の通り道２ｃの最も上方にある穴を排気口２ｂとする。
【００３０】  図１〜６の例では排気口２ｂは木炭パッケージ１の上面に設けられているが、排気口２ｂの位置は木炭パッケージ１の上面だけに限られない。図７、８のように木炭パッケージ１の側面にあってもよいし、図９および１０のように木炭パッケージ１の上面と側面にまたがって設けられていてもよい。また、１つの空気の通り道２ｃに対して、上面と側面の両方に吸気口２ａがあってもよい。
【００３１】  図７および８に示すように、排気口２ｂは１つの空気の通り道２ｃに対して複数あってもよい。
【００３２】  図１および２では、排気口２ｂの形状を四角形で示しているが、これは排気口２ｂの形状を四角形に限定するものではなく、排気口２ｂの形状は多角形、円等、あるいはさらに複雑な形状であってもよい。
【００３３】  〔中実支柱３１〕
中実支柱３１は可燃性の材料により構成される。木、紙、粒状あるいは粉状の木や木炭を成形したもの、複数の着火剤を樹脂フィルムで包装したものなどがその一例である。基本的には中実支柱３１の燃焼熱と炎により木炭１１に着火するため、１０分以上継続して燃焼することができる性能を有する必要がある。ただし、後に詳述する包装材の外に設置された着火剤４１または支柱の下に設置された着火剤４３、あるいはその両方を備える木炭パッケージ１においては、中実支柱３１として数分以内で燃え尽きるものを使用することができる。発泡樹脂等がその一例である。
【００３４】  図１および２では１つの木炭パッケージ１に対して１つの中実支柱３１が備えられているが、これは１つの木炭パッケージ１に使用される中実支柱３１の数を１つに限定するものではない。１つの木炭パッケージ１に対して複数個の中実支柱３１を用いてもよい。また、１つの木炭パッケージ１に用いられる中実支柱３１の材質も１種類に限定するものではなく、１つの木炭パッケージ１に複数種類の材質の複数の中実支柱３１を用いてもよい。なお、同種あるいは別種の複数の中実支柱３１を１つの木炭パッケージ１に用いる場合には、全体として１０分以上継続して燃焼することができる性能を有していればよい。例えば、中実支柱３１として発泡樹脂と木を使用した場合、発泡樹脂が数分以内で燃え尽きたとしても、木が１０分以上燃焼していればよい。あるいは、１つでは数分以内で燃え尽きる木製のチップを多数使用することで、１０分以上燃焼するようにしてもよい。すなわち、このような場合においては、中実支柱３１として数分以内で燃え尽きるものを使用することができる。
【００３５】  １つの木炭パッケージ１に複数種類の材質の複数の中実支柱３１が用いられている場合、少なくとも１つの中実支柱３１の材質がライター等で簡単に着火できるものであるとき、その他の中実支柱３１として、木炭１１と比較して着火性に優れる木炭を使用することができる。木炭１１と比較して着火性に優れる木炭とは、木炭パッケージ１に使用されている木炭１１よりも相対的に着火性に優れる木炭を意味する。例えば、木炭１１としてオガ炭が使用されているとすれば、マングローブ炭は木炭１１と比較して着火性に優れる木炭に該当する。
【００３６】  中実支柱３１は空気の通り道２ｃの中に配置され、輸送中の振動や衝撃等により木炭１１が空気の通り道２ｃ側に崩れるのを防ぐ働きをする。前述のように中実支柱３１として、数分以内で燃え尽きるものを使用する場合には、点火前の状態のとき中実支柱３１によって空気の通り道２ｃが塞がっていてもよい。ただし、この場合には、空気の通り道２ｃを塞いでいる中実支柱３１が燃え尽きるまでの間、燃焼に必要な空気の吸気と燃焼ガスの排気が阻害される。図１および２に示すように、空気の通り道２ｃの面が木炭１１と中実支柱３１により構成されるようにして、点火前の状態でも空気の通り道２ｃが中実支柱３１により塞がらない構造とすることが好ましい。
【００３７】  中実支柱３１は後に詳述する中空支柱３２と組み合わせて使用することができる。例えば、１つの空気の通り道２ｃにおいて、下部には中実支柱３１が、上部には中空支柱３２がそれぞれ使用されているといった構造でもよい。
【００３８】  〔中空支柱３２〕
中空支柱３２は可燃性の材料により構成される。木、紙、可燃性の樹脂などがその一例である。それら可燃性の材料を筒、箱、ガスを密封して風船状にしたもの等が中空支柱３２として用いられる。中空支柱３２は前述の中実支柱３１、包装材の外に設置された着火剤４１、中空支柱の中に設置された着火剤４２、支柱の下に設置された着火剤４３のいずれか、あるいは複数と組み合わせて使用される。中空支柱３２自体には、燃焼の際に木炭１１に着火するだけの燃焼熱と炎を生み出す火力がなくてもよい。中空支柱３２はその機能上、点火前の状態で空気の通り道２ｃを構成する面となっていることが多いが、そのような場合には、中空支柱３２が燃え尽きるまでは木炭１１への着火が阻害されるため、中空支柱３２は数分以内で燃え尽きるものが好ましい。
【００３９】  中空支柱３２は前述のとおり数分以内で燃え尽きるものが好ましい。逆に言えば、１０分以上燃焼し、中空であることを除いて前述の中実支柱３１としての特徴を有するものは中空支柱３２ではなく、中実支柱３１であると解する。例として、図１および２に示すような中実支柱３１の中心に、空気の通り道２ｃに沿う方向に貫通する穴が開いている場合が考えられる。この場合の中実支柱３１は中空構造になっているものの、その他の点において中実支柱３１としての特徴を有しているため、中空支柱３２ではなく、中実支柱３１として扱う。
【００４０】  中空支柱３２は空気の通り道２ｃの中に配置され、輸送中の振動や衝撃等により木炭１１が空気の通り道２ｃ側に崩れるのを防ぐ働きをする。前述のように中空支柱３２として、数分以内で燃え尽きるものを使用する場合には、点火前の状態のとき中空支柱３２によって空気の通り道２ｃが塞がっていてもよい。ただし、この場合には、空気の通り道２ｃを塞いでいる中空支柱３２が燃え尽きるまでの間、燃焼に必要な空気の吸気と燃焼ガスの排気が阻害される。図３〜１１に示すように、中空支柱３２を筒状にして、点火前の状態でも空気の通り道２ｃが中空支柱３２により塞がらない構造とすることが好ましい。
【００４１】  〔包装材の外に設置された着火剤４１〕
包装材の外に設置された着火剤４１は図４に示すように包装材５の外面に設置されており、接着剤、粘着テープ、ステープラーの針等で包装材５に固定される。木炭１１に着火するためには、包装材の外に設置された着火剤４１の燃焼熱および炎が空気の通り道２ｃに導入される必要があるため、包装材の外に設置された着火剤４１を設置する場所は包装材５が燃え尽きた後に、包装材の外に設置された着火剤４１が吸気口２ａまたは空気の通り道２ｃの中に位置するような場所でなければならない。
【００４２】  包装材の外に設置された着火剤４１の材質としては、一般的に木炭用の着火剤として使用されているものが使用できる。例として、木、紙、粒状あるいは粉状の木や木炭を成形したもの、ゲル状の燃料をパック詰めしたもの、アルコール等の有機物を固形化したもの、木炭に着火剤を塗布する等して、ライター等により容易に着火できるようにしたもの等が使用できる。
【００４３】  図４の例では木炭パッケージ１は中空支柱３２を備えているが、これは包装材の外に設置された着火剤４１を使用する場合の支柱を中空支柱３２に限定するものではなく、中実支柱３１と組み合わせて使用してもよい。
【００４４】  包装材の外に設置された着火剤４１は１つの空気の通り道２ｃに対して複数個設置されていてもよい。また、そのような場合には複数個の包装材の外に設置された着火剤４１の材質はそれぞれ異なっていてもよい。
【００４５】  １つの空気の通り道２ｃに対して、包装材の外に設置された着火剤４１の他に中実支柱３１、中空支柱の中に設置された着火剤４２、支柱の下に設置された着火剤４３のうちいずれか、あるいは複数が設置されていてもよい。そのような場合において、包装材の外に設置された着火剤４１、中実支柱３１、中空支柱の中に設置された着火剤４２、支柱の下に設置された着火剤４３のうち少なくとも１つがライター等で簡単に着火できる材質である場合、その他のものには木炭１１と比較して着火性に優れる木炭を使用することができる。
なお、複数種類の着火剤や木炭１１と比較して着火性に優れる木炭が包装材の外に設置された着火剤４１、中実支柱３１、中空支柱の中に設置された着火剤４２、支柱の下に設置された着火剤４３として１つの木炭パッケージ１に設置されている場合、着火性の良いものほど吸気口２ａに近くなるように配置するのが好ましい。
【００４６】  〔中空支柱の中に設置された着火剤４２〕
中空支柱の中に設置された着火剤４２は図５〜１１に示すように中空支柱３２の中に設置される。中空支柱の中に設置された着火剤４２は中空支柱３２に接着剤等で固定されている必要はなく、図６、８、９および１０に示すように中空支柱３２の中に乱雑に入っていればよい。中空支柱の中に設置された着火剤４２を規則正しく並べて設置してもよいが、その場合には中空支柱の中に設置された着火剤４２により空気の通り道２ｃが塞がらないようにする必要がある。前述のように中空支柱の中に設置された着火剤４２を中空支柱３２の中に乱雑に入れた場合には、中空支柱の中に設置された着火剤４２同士の間に空間が生じるため、空気の通り道２ｃが塞がらず、空気の吸入と燃焼ガスの排気が行える。
【００４７】  中空支柱の中に設置された着火剤４２の材質としては、一般的に木炭用の着火剤として使用されているものが使用できる。例として、木、紙、粒状あるいは粉状の木や木炭を成形したもの、ゲル状の燃料をパック詰めしたもの、アルコール等の有機物を固形化したもの、木炭に着火剤を塗布する等して、ライター等により容易に着火できるようにしたもの等が使用できる。
【００４８】  図５〜１１の例では中空支柱の中に設置された着火剤４２は１つの空気の通り道２ｃに対して複数個備えられているが、これは中空支柱の中に設置された着火剤４２は１つの空気の通り道２ｃに対して複数個備えなければならないというように限定するものではなく、１つの空気の通り道２ｃに備えられた中空支柱の中に設置された着火剤４２が１つであってもよい。
【００４９】  １つの空気の通り道２ｃに対して複数個の中空支柱の中に設置された着火剤４２が備えられている場合には、複数個の中空支柱の中に設置された着火剤４２の材質はそれぞれ異なっていてもよい。また、そのような場合において、少なくとも１つの中空支柱の中に設置された着火剤４２の材質がライター等で簡単に着火できるものであるとき、その他の中空支柱の中に設置された着火剤４２として、木炭１１と比較して着火性に優れる木炭を使用することができる。
【００５０】  １つの空気の通り道２ｃに対して、中空支柱の中に設置された着火剤４２の他に中実支柱３１、包装材の外に設置された着火剤４１、支柱の下に設置された着火剤４３のうちいずれか、あるいは複数が設置されていてもよい。そのような場合において、包装材の外に設置された着火剤４１、中実支柱３１、中空支柱の中に設置された着火剤４２、支柱の下に設置された着火剤４３のうち少なくとも１つがライター等で簡単に着火できる材質である場合、その他のものには木炭１１と比較して着火性に優れる木炭を使用することができる。
【００５１】  〔支柱の下に設置された着火剤４３〕
支柱の下に設置された着火剤４３は空気の通り道２ｃの中かつ、中実支柱３１あるいは中空支柱３２の下方に設置される。図５〜８の例では、支柱の下に設置された着火剤４３は中空支柱３２の下方に設置されているが、これは支柱の下に設置された着火剤４３の設置場所を中空支柱３２の下方に限定するものではなく、前述のように、中実支柱３１の下方に設置してもよい。
【００５２】  支柱の下に設置された着火剤４３の材質としては、一般的に木炭用の着火剤として使用されているものが使用できる。例として、木、紙、粒状あるいは粉状の木や木炭を成形したもの、ゲル状の燃料をパック詰めしたもの、アルコール等の有機物を固形化したもの、木炭に着火剤を塗布する等して、ライター等により容易に着火できるようにしたもの等が使用できる。
【００５３】  図５〜８の例では支柱の下に設置された着火剤４３は１つの空気の通り道２ｃに対して１つが備えられているが、これは支柱の下に設置された着火剤４３は１つの空気の通り道２ｃに対して１つでなければならないというように限定するものではなく、１つの空気の通り道２ｃに対して複数の支柱の下に設置された着火剤４３が備えられていてもよい。
【００５４】  １つの空気の通り道２ｃに対して複数個の支柱の下に設置された着火剤４３が備えられている場合には、複数個の支柱の下に設置された着火剤４３の材質はそれぞれ異なっていてもよい。また、そのような場合において、少なくとも１つの支柱の下に設置された着火剤４３の材質がライター等で簡単に着火できるものであるとき、その他の支柱の下に設置された着火剤４３として、木炭１１と比較して着火性に優れる木炭を使用することができる。
【００５５】  １つの空気の通り道２ｃに対して、支柱の下に設置された着火剤４３の他に中実支柱３１、包装材の外に設置された着火剤４１、中空支柱の中に設置された着火剤４２のうちいずれか、あるいは複数が設置されていてもよい。そのような場合において、包装材の外に設置された着火剤４１、中実支柱３１、中空支柱の中に設置された着火剤４２、支柱の下に設置された着火剤４３のうち少なくとも１つがライター等で簡単に着火できる材質である場合、その他のものには木炭１１と比較して着火性に優れる木炭を使用することができる。
【００５６】  〔包装材５〕
包装材５は包装材の外に設置された着火剤４１を除いた木炭パッケージ１を構成する全ての材料を包むことにより、それらが輸送中の振動や衝撃等により木炭パッケージ１から脱落したり、空気の通り道２ｃとは逆側に崩れたりするのを防ぐ働きをする。
【００５７】  包装材５は可燃性の材料により構成される。木、紙、可燃性の樹脂等がその一例である。それらの材料を箱または袋状に成形し、包装材の外に設置された着火剤４１を除いた木炭パッケージ１を構成する全ての材料を中に収めるか、あるいは、フィルム状にしたそれらの材料で包装材の外に設置された着火剤４１を除いた木炭パッケージ１を構成する全ての材料を包むことにより木炭パッケージ１を形成する。
【００５８】  包装材５は木炭パッケージ１に点火する前の状態で吸気口２ａまたは排気口２ｂ、あるいはその両方を塞いでいてもよい。ただし、その場合には少なくとも吸気口２ａまたは排気口２ｂを塞いでいる部分の包装材５は点火後数分以内に燃え尽きるものを使用することが好ましい。また、図１３および１４のように、包装材５の上部が閉じられている場合には、包装材５が燃え尽きるまでの間、包装材５の上部に燃焼ガスが滞留して燃焼を阻害するため、上部に穴をあけておくのが好ましい。
【００５９】  木炭パッケージ１が輸送等により崩れないようにするためには、少なくとも木炭パッケージ１の底面と側面を包装材５により包む必要がある。図１２は木炭パッケージ１の底面と側面を囲う包装材５の例である。この場合の包装材５は可燃性の材料で作られた袋や箱である。なお、木炭パッケージ１の上面は開放されている必要はなく、包装材５は上面を含めた木炭パッケージの全面を囲っていてもよい。また、包装材５には内包する木炭パッケージ１を構成する材料が脱落しない範囲で穴があけられていてもよい。
【００６０】  包装材５として、可燃性の袋を用いた場合には、包装材の外に設置された着火剤４１を除いた木炭パッケージ１を構成する全ての材料を入れた後、図１３のように袋の上部を折畳んで閉じてもよい。とじ目は接着剤やステープラーの針等で留めるのが好ましい。
【００６１】  包装材５として、可燃性のフィルム状の材料を使用する場合には、図１４のように、包装材の外に設置された着火剤４１を除いた木炭パッケージ１を構成する全ての材料を包み、とじ目を接着したり、粘着テープで留めたりしてもよい。なお、このときの包み方は木炭パッケージ１を構成する材料が脱落しない方法であれば、木炭パッケージ１を構成する材料の全てが包装材５に包まれていなくてもよい。図１５は木炭１１を井桁に組んだ場合の包装材５の例である。この例では木炭パッケージ１の上面と底面および対向する２つの側面を包む１つのフィルムと、木炭パッケージ１の上面と底面および残る２つの側面を包む別の１つのフィルムにより包装材５が形成されており、木炭１１同士が重なり合っている部分は包装材５により包まれていない。このような構造であっても、木炭パッケージ１を構成する材料が脱落しない構造となっているため包装材５として成り立つ。
【００６２】  〔緩衝材６〕
木炭１１は基本的には前述の包装材５により輸送中の振動や衝撃等により木炭パッケージ１から脱落したり、空気の通り道２ｃとは逆側に崩れたりしないように保持される。しかし、木炭１１の積み方と包装材５の形状の組み合わせによっては木炭１１と包装材５の間に隙間が生じ、包装材５だけでは木炭１１が崩れるのを防げない場合がある。そのような場合に木炭１１と包装材５の間の隙間を埋めるために緩衝材６を用いる。
【００６３】  図９〜１１は木炭１１を井桁に組んだものと、上面が解放された直方体の箱状の包装材５を組み合わせた例である。このような場合には必然的に木炭１１と包装材５の間に隙間が生じるため、その隙間に緩衝材６を入れることで木炭１１が崩れるのを防いでいる。
【００６４】  緩衝材６の材料は可燃性の材料であれば何でもよく、紙、木、可燃性の樹脂等が好適である。輸送等により木炭１１が崩れないようにするのが緩衝材６の目的であり、火力は必要ないため、緩衝材６としては、樹脂を風船状にしたもの、発泡樹脂、紙を乱雑に折ったもの等が好適である。
【実施例１】
【００６５】  以下、図１および２に基づいて本発明の実施例１を説明するが、本発明は以下の実施例に限定されない。
木炭パッケージ１は中実支柱３１の側面を囲うように積まれた木炭１１を包装材５で包むことにより形成されている。包装材５は図１２に示す木炭パッケージの側面と底面を包む形状としているが、包装材５の形状はこの例に限定されない。
吸気口２ａと排気口２ｂは木炭パッケージ１の底面と上面にそれぞれ位置している。なお、吸気口２ａが底面にのみ設けられているため、この木炭パッケージ１はバーベキューコンロ炭置場等の通気性のある設置面に置いて使用する必要がある。【００６６】  包装材５に点火することで木炭１１に着火を行うことができる。点火された包装材５が燃えることで、包装材５により塞がれていた吸気口２ａが開く。また、包装材５から中実支柱３１に火が燃え移る。中実支柱３１の燃焼により生じた燃焼ガスと暖められた空気は、周りの空気と比べて密度が小さいため、空気の通り道２ｃに上昇気流が発生する。これにより、燃焼ガスは排気口２ｂから排気され、同時に吸気口２ａから空気が取り込まれる。この煙突効果により燃焼が促進され木炭１１も燃焼を開始する。
なお、説明の都合上包装材５に点火するとしたが、木炭パッケージ１全体に火が回れば良いため、点火するのは包装材５に限定されない。【００６７】  木炭１１が継続して燃焼する状態になった後に、積まれている木炭１１を崩して、平らに並べることで調理に用いることができる。
【実施例２】
【００６８】  以下、図３および４に基づいて本発明の実施例２を説明するが、本発明は以下の実施例に限定されない。
木炭パッケージ１は中空支柱３２の側面を囲うように積まれた木炭１１を包装材５で包むことにより形成されている。包装材５は図１２に示す木炭パッケージの側面と底面を包む形状としているが、包装材５の形状はこの例に限定されない。
吸気口２ａと排気口２ｂは木炭パッケージ１の底面と上面にそれぞれ位置している。なお、吸気口２ａが底面にのみ設けられているため、この木炭パッケージ１はバーベキューコンロ炭置場等の通気性のある設置面に置いて使用する必要がある。
木炭パッケージ１の底面、吸気口２ａの位置には包装材の外に設置された着火剤４１が設置されている。【００６９】  包装材５に点火することで木炭１１に着火を行うことができる。点火された包装材５が燃えることで、包装材５により塞がれていた吸気口２ａが開く。また、包装材５から中空支柱３２および包装材の外に設置された着火剤４１に火が燃え移る。包装材の外に設置された着火剤４１の燃焼により生じた燃焼ガスと暖められた空気は、周りの空気と比べて密度が小さいため、空気の通り道２ｃに上昇気流が発生する。これにより、燃焼ガスは排気口２ｂから排気され、同時に吸気口２ａから空気が取り込まれる。この煙突効果により燃焼が促進される。中空支柱３２が燃え尽きて空気の通り道２ｃを構成する面が木炭１１になり、包装材の外に設置された着火剤４１の燃焼熱と炎が木炭１１に直接当たるようになると、前述の煙突効果による燃焼促進と合わさり木炭１１も燃焼を開始する。
なお、説明の都合上包装材５に点火するとしたが、木炭パッケージ１全体に火が回れば良いため、点火するのは包装材５に限定されない。【００７０】  木炭１１が継続して燃焼する状態になった後に、積まれている木炭１１を崩して、平らに並べることで調理に用いることができる。
【実施例３】
【００７１】  以下、図５および６に基づいて本発明の実施例３を説明するが、本発明は以下の実施例に限定されない。
木炭パッケージ１は２つの中空支柱３２の側面を囲うように積まれた木炭１１を包装材５で包むことにより形成されている。包装材５は図１２に示す木炭パッケージの側面と底面を包む形状としているが、包装材５の形状はこの例に限定されない。
木炭パッケージ１にはそれぞれ独立した２つの空気の通り道２ｃがあり、それぞれに１つずつ吸気口２ａと排気口２ｂが設けられている。吸気口２ａは木炭パッケージ１の底面から側面に連続した形状となっている。排気口２ｂは木炭パッケージ１の上面に位置している。なお、吸気口２ａが側面にも設けられているため、この木炭パッケージ１の設置場所はバーベキューコンロ炭置場等の通気性のある設置面に限定されず、耐火レンガ等の通気性のない設置面に置いて使用することもできる。
空気の通り道２ｃの中、吸気口２ａの近くには支柱の下に設置された着火剤４３が設置されている。また、中空支柱３２の中には中空支柱の中に設置された着火剤４２が設置されている。【００７２】  包装材５に点火することで木炭１１に着火を行うことができる。点火された包装材５が燃えることで、包装材５により塞がれていた吸気口２ａが開く。また、包装材５から支柱の下に設置された着火剤４３へ、さらに、支柱の下に設置された着火剤４３から中空支柱３２および中空支柱の中に設置された着火剤４２へと火が燃え移る。中空支柱の中に設置された着火剤４２および支柱の下に設置された着火剤４３の燃焼により生じた燃焼ガスと暖められた空気は、周りの空気と比べて密度が小さいため、空気の通り道２ｃに上昇気流が発生する。これにより、燃焼ガスは排気口２ｂから排気され、同時に吸気口２ａから空気が取り込まれる。この煙突効果により燃焼が促進される。中空支柱３２が燃え尽きて空気の通り道２ｃを構成する面が木炭１１になり、中空支柱の中に設置された着火剤４２および支柱の下に設置された着火剤４３の燃焼熱と炎が木炭１１に直接当たるようになると、前述の煙突効果による燃焼促進と合わさり木炭１１も燃焼を開始する。
なお、説明の都合上包装材５に点火するとしたが、木炭パッケージ１全体に火が回れば良いため、点火するのは包装材５に限定されない。【００７３】  木炭１１が継続して燃焼する状態になった後に、積まれている木炭１１を崩して、平らに並べることで調理に用いることができる。
【実施例４】
【００７４】  以下、図７および８に基づいて本発明の実施例４を説明するが、本発明は以下の実施例に限定されない。
木炭パッケージ１は中空支柱３２の底面、側面および上面を囲うように積まれた木炭１１を包装材５で包むことにより形成されている。包装材５は図１２に示す木炭パッケージの側面と底面を包む形状としているが、包装材５の形状はこの例に限定されない。
木炭パッケージ１には１つの空気の通り道２ｃがあり、２つずつ吸気口２ａと排気口２ｂが設けられている。吸気口２ａと排気口２ｂは両方とも木炭パッケージ１の側面に位置している。なお、吸気口２ａが側面に設けられているため、この木炭パッケージ１の設置場所はバーベキューコンロ炭置場等の通気性のある設置面に限定されず、耐火レンガ等の通気性のない設置面に置いて使用することもできる。
空気の通り道２ｃの中、吸気口２ａの近くには支柱の下に設置された着火剤４３が設置されている。また、中空支柱３２の中には中空支柱の中に設置された着火剤４２が設置されている。【００７５】  包装材５に点火することで木炭１１に着火を行うことができる。点火された包装材５が燃えることで、包装材５により塞がれていた吸気口２ａおよび排気口２ｂが開く。また、包装材５から支柱の下に設置された着火剤４３へ、さらに、支柱の下に設置された着火剤４３から中空支柱３２および中空支柱の中に設置された着火剤４２へと火が燃え移る。中空支柱の中に設置された着火剤４２および支柱の下に設置された着火剤４３の燃焼により生じた燃焼ガスと暖められた空気は、周りの空気と比べて密度が小さいため、空気の通り道２ｃに上昇気流が発生する。これにより、燃焼ガスは排気口２ｂから排気され、同時に吸気口２ａから空気が取り込まれる。この煙突効果により燃焼が促進される。中空支柱３２が燃え尽きて空気の通り道２ｃを構成する面が木炭１１になり、中空支柱の中に設置された着火剤４２および支柱の下に設置された着火剤４３の燃焼熱と炎が木炭１１に直接当たるようになると、前述の煙突効果による燃焼促進と合わさり木炭１１も燃焼を開始する。
なお、説明の都合上包装材５に点火するとしたが、木炭パッケージ１全体に火が回れば良いため、点火するのは包装材５に限定されない。【００７６】  木炭１１が継続して燃焼する状態になった後に、積まれている木炭１１を崩して、平らに並べることで調理に用いることができる。
【実施例５】
【００７７】  以下、図９〜１１に基づいて本発明の実施例５を説明するが、本発明は以下の実施例に限定されない。
木炭パッケージ１は中空支柱３２の側面を囲うように井桁に積まれた木炭１１を包装材５で包むことにより形成されている。木炭１１と包装材５の間には緩衝材６が設置されている。包装材５は図１２に示す木炭パッケージの側面と底面を包む形状としているが、包装材５の形状はこの例に限定されない。
吸気口２ａは木炭パッケージ１の底面から側面に連続した形状となっている。排気口２ｂは木炭パッケージ１の上面に位置している。なお、吸気口２ａが側面にも設けられているため、この木炭パッケージ１の設置場所はバーベキューコンロ炭置場等の通気性のある設置面に限定されず、耐火レンガ等の通気性のない設置面に置いて使用することもできる。
中空支柱３２の中には中空支柱の中に設置された着火剤４２が設置されている。【００７８】  包装材５に点火することで木炭１１に着火を行うことができる。点火された包装材５が燃えることで、包装材５により塞がれていた吸気口２ａが開く。また、包装材５から中空支柱３２、中空支柱の中に設置された着火剤４２および緩衝材６へと火が燃え移る。中空支柱の中に設置された着火剤４２の燃焼により生じた燃焼ガスと暖められた空気は、周りの空気と比べて密度が小さいため、空気の通り道２ｃに上昇気流が発生する。これにより、燃焼ガスは排気口２ｂから排気され、同時に吸気口２ａから空気が取り込まれる。この煙突効果により燃焼が促進される。中空支柱３２が燃え尽きて空気の通り道２ｃを構成する面が木炭１１になり、中空支柱の中に設置された着火剤４２の燃焼熱と炎が木炭１１に直接当たるようになると、前述の煙突効果による燃焼促進と合わさり木炭１１も燃焼を開始する。
なお、説明の都合上包装材５に点火するとしたが、木炭パッケージ１全体に火が回れば良いため、点火するのは包装材５に限定されない。【００７９】  木炭１１が継続して燃焼する状態になった後に、積まれている木炭１１を崩して、平らに並べることで調理に用いることができる。
【産業上の利用可能性】
【００８０】  本発明の木炭パッケージは、誰でも容易に着火できる燃料用木炭として好適に用いられる。
【符号の説明】
【００８１】  １  木炭パッケージ
１１  木炭
２ａ  吸気口
２ｂ  排気口
２ｃ  空気の通り道
３１  中実支柱
３２  中空支柱
４１  包装材の外に設置された着火剤
４２  中空支柱の中に設置された着火剤
４３  支柱の下に設置された着火剤
５  包装材
６  緩衝材
【図１】
2019137824.tif 000003
【図２】
2019137824.tif 000004
【図３】
2019137824.tif 000005
【図４】
2019137824.tif 000006
【図５】
2019137824.tif 000007
【図６】
2019137824.tif 000008
【図７】
2019137824.tif 000009
【図８】
2019137824.tif 000010
【図９】
2019137824.tif 000011
【図１０】
2019137824.tif 000012
【図１１】
2019137824.tif 000013
【図１２】
2019137824.tif 000014
【図１３】
2019137824.tif 000015
【図１４】
2019137824.tif 000016
【図１５】
2019137824.tif 000017